(57)【特許請求の範囲】
【請求項１】
カード基材と、
前記カード基材の上に設けられ、少なくとも第１絵柄が描画された第１絵柄層と、
前記第１絵柄を隠蔽するように前記第１絵柄層の上に設けられたスクラッチ層と、
少なくとも前記スクラッチ層の外周端面を含む外周端部を隠蔽するように前記スクラッチ層の上に設けられ、第２絵柄が描画された第２絵柄層と、を備え、
前記第１絵柄層は、
前記第１絵柄の周囲に第１領域を備え、
前記第２絵柄層は、
周縁に前記第１領域と同じ色彩の配列を有する第２領域を備え、
前記第１領域と、前記第２領域と、における同色の部分が隣接して配されるようにしたことを特徴とするスクラッチカード。
【請求項２】
前記第１絵柄層は、
前記第１絵柄を囲むように所定幅の前記第１領域を備え、
前記第２絵柄層は、
周縁に所定幅の前記第２領域を備え、
前記スクラッチ層の外周端部は、
前記第１領域の幅内に位置するとともに、前記第２領域の幅内に位置することを特徴とする請求項１に記載のスクラッチカード。
【請求項３】
前記第２絵柄層は、
前記スクラッチ層よりも広く、外周端部が前記第１領域において前記スクラッチ層が存在しない位置にあることを特徴とする請求項１又は２に記載のスクラッチカード。
【請求項４】
前記第２絵柄層は、
前記スクラッチ層の全体を覆うように前記スクラッチ層の上に設けられることを特徴とする請求項１から３のいずれか一項に記載のスクラッチカード。
【請求項５】
前記第１絵柄層には、各々が周囲に前記第１領域を備えた複数の前記第１絵柄が描画され、
複数の前記第１絵柄のうち、一部の前記第１絵柄に重ねて前記スクラッチ層及び前記第２絵柄層が設けられていることを特徴とする請求項１から４のいずれか一項に記載のスクラッチカード。
【請求項６】
前記第１領域と前記第２領域は、同色の単色であることを特徴とする請求項１から５のいずれか一項に記載のスクラッチカード。
【請求項７】
カード基材の表面に、周囲に第１領域を備えた第１絵柄が描画された第１絵柄層を形成する第１工程と、
スクラッチ層を、前記第１絵柄を隠蔽し、外周端部が前記第１領域内に位置するように形成する第２工程と、
前記第１領域と同じ色彩の配列を有する第２領域を周囲に設けた第２絵柄層を、少なくとも前記スクラッチ層の外周端面を含む外周端部を隠蔽するとともに、前記第１領域と、前記第２領域と、における同色の部分が隣接するように形成する第３工程と、を含むことを特徴とするスクラッチカードの製造方法。
【発明の詳細な説明】
【技術分野】
【０００１】
本発明は、スクラッチカード及びスクラッチカードの製造方法に関する。
【背景技術】
【０００２】
従来、絵柄を描画したカード基材の上にスクラッチ層を形成して絵柄を隠蔽し、スクラッチ層を削り取ることでカード基材に描画された絵柄が視認可能となるスクラッチカードが知られている（例えば、特許文献１参照）。
【先行技術文献】
【特許文献】
【０００３】
【特許文献１】特開２００８−１２６６０７号公報
【発明の概要】
【発明が解決しようとする課題】
【０００４】
このようなスクラッチカードにおいては、スクラッチ層の印刷のずれが発生するとスクラッチ層で隠蔽すべき絵柄の一部が視認可能となってしまい、装飾性及び削り取ることが可能な領域を探るという遊びの楽しさに欠けるものであった。
また、一般的にスクラッチ層は銀色の塗料により構成されているが、カード基材の絵柄に対してスクラッチ層が目立ってしまいスクラッチ層の範囲が明確に把握できてしまうので、装飾性及び削り取ることが可能な領域を探るというスクラッチ遊びの楽しさに欠けるものであった。本発明の目的は、スクラッチカードの装飾性及びスクラッチ遊びの楽しさを向上することである。
【課題を解決するための手段】
【０００５】
以上の課題を解決するため第１の手段は、スクラッチカードにおいて、
カード基材と、
前記カード基材の上に設けられ、少なくとも第１絵柄が描画された第１絵柄層と、
前記第１絵柄を隠蔽するように前記第１絵柄層の上に設けられたスクラッチ層と、
少なくとも前記スクラッチ層の外周端面を含む外周端部を隠蔽するように前記スクラッチ層の上に設けられ、第２絵柄が描画された第２絵柄層と、を備え、
前記第１絵柄層は、
前記第１絵柄の周囲に第１領域を備え、
前記第２絵柄層は、
周縁に前記第１領域と同じ色彩の配列を有する第２領域を備え、
前記第１領域と、前記第２領域と、における同色の部分が隣接して配されるようにしたことを特徴とする。
【０００６】
第２の手段は、第１の手段において、
前記第１絵柄層は、
前記第１絵柄を囲むように所定幅の前記第１領域を備え、
前記第２絵柄層は、
周縁に所定幅の前記第２領域を備え、
前記スクラッチ層の外周端部は、
前記第１領域の幅内に位置するとともに、前記第２領域の幅内に位置することを特徴とする。
【０００７】
第３の手段は、第１の手段又は第２の手段において、
前記第２絵柄層は、
前記スクラッチ層よりも広く、外周端部が前記第１領域において前記スクラッチ層が存在しない位置にあることを特徴とする。
【０００８】
第４の手段は、第１の手段から第３の手段のいずれか一の手段において、
前記第２絵柄層は、
前記スクラッチ層の全体を覆うように前記スクラッチ層の上に設けられることを特徴とする。
【０００９】
第５の手段は、第１の手段から第４の手段のいずれか一の手段において、
前記第１絵柄層には、各々が周囲に前記第１領域を備えた複数の前記第１絵柄が描画され、
複数の前記第１絵柄のうち、一部の前記第１絵柄に重ねて前記スクラッチ層及び前記第２絵柄層が設けられていることを特徴とする。
【００１０】
第６の手段は、第１の手段から第５の手段のいずれか一の手段において、
前記第１領域と前記第２領域は、同色の単色であることを特徴とする。
【００１１】
第７の手段は、スクラッチカードの製造方法であって、
カード基材の表面に、周囲に第１領域を備えた第１絵柄が描画された第１絵柄層を形成する第１工程と、
スクラッチ層を、前記第１絵柄を隠蔽し、外周端部が前記第１領域内に位置するように形成する第２工程と、
前記第１領域と同じ色彩の配列を有する第２領域を周囲に設けた第２絵柄層を、少なくとも前記スクラッチ層の外周端面を含む外周端部を隠蔽するとともに、前記第１領域と、前記第２領域と、における同色の部分が隣接するように形成する第３工程と、を含むことを特徴とする。
【発明の効果】
【００１２】
第１の手段によれば、第１絵柄の周囲に第１領域を備えるので、第１領域の分だけスクラッチ層の印刷のずれを許容できて第１絵柄が視認可能となってしまうことを防止でき、スクラッチカードの装飾性を向上することができるとともに、スクラッチ層を見つけるというスクラッチ遊びの楽しさを向上することができる。
また、少なくともスクラッチ層の外周端部を第２絵柄層により隠蔽することができ、さらに第１領域と第２領域の同色の部分が隣接して配されるので、境界をわかりにくくすることができ、スクラッチカードの装飾性を向上することができるとともに、削り取ることが可能な領域を探るというスクラッチ遊びの楽しさを向上することができる。
【００１３】
第２の手段によれば、スクラッチ層により第１の絵柄を確実に隠蔽できるとともに、第１領域とスクラッチ層とが重複する分だけスクラッチ層の印刷のずれを許容できて第１絵柄が視認可能となってしまうことを防止でき、スクラッチカードの装飾性を向上することができるとともに、スクラッチ層を見つけるというスクラッチ遊びの楽しさを向上することができる。
また、第２絵柄にスクラッチ層の外周端部がかかることを防止でき、スクラッチ層の有無が第２絵柄の色彩に影響しないようにすることで第２絵柄の装飾性を向上でき、スクラッチカードの装飾性を向上することができるとともに、削り取ることが可能な領域を探るというスクラッチ遊びの楽しさを向上することができる。
【００１４】
第３の手段によれば、スクラッチ層の外周端部を第２絵柄層により確実に隠蔽できるので、スクラッチカードの装飾性を向上することができ、さらに、第２絵柄層の外周端部は第１領域内にあるので、第１領域と第２領域の同色の部分が必ず隣接するようになり、第２絵柄層の境界をわかりにくくすることができ、スクラッチカードの装飾性を向上することができるとともに、削り取ることが可能な領域を探るというスクラッチ遊びの楽しさを向上することができる。
【００１５】
第４の手段によれば、スクラッチ層を第２絵柄層により完全に隠蔽できるので、スクラッチカードの装飾性を向上することができるとともに、削り取ることが可能な領域を探るというスクラッチ遊びの楽しさを向上することができる。
【００１６】
第５の手段によれば、多彩なスクラッチ層の配置を実現でき、スクラッチカードの装飾性を向上することができるとともに、削り取ることが可能な領域を探るというスクラッチ遊びの楽しさを向上することができる。
【００１７】
第６の手段によれば、第１領域と第２領域の境界をわかりにくくすることができるので、スクラッチカードの装飾性を向上することができるとともに、削り取ることが可能な領域を探るというスクラッチ遊びの楽しさを向上することができる。
【００１８】
第７の手段によれば、スクラッチ層を第２絵柄層により隠蔽し、さらに第１領域と第２領域の境界をわかりにくくしたスクラッチカードを製造できるので、スクラッチカードの装飾性を向上することができるとともに、削り取ることが可能な領域を探るというスクラッチ遊びの楽しさを向上することができる。
【図面の簡単な説明】
【００１９】
【図１】スクラッチカードの正面図である。
【図２】スクラッチカードの断面図である。
【図３】第１絵柄層、スクラッチ層及び第２絵柄層の形成態様の変形例を説明するための図である。
【図４】第１領域及び第２領域における色彩の配列の変形例を説明するための図である。
【図５】スクラッチカードの収納方法の一例を説明するための図である。
【図６】スクラッチカードの製造方法を説明するための図である。
【発明を実施するための形態】
【００２０】
以下、この発明の実施形態について図面を参照して説明する。
図１には、スクラッチカードの正面図を示した。
図１（ａ）に示すように本実施形態のスクラッチカード１０は、矩形板状のカードであって様々な絵柄などが印刷されたものである。このスクラッチカード１０の中央部分は、第２絵柄３１が印刷された部分を削り取ることができ、削り取ることで図１（ｂ）に示すように下層の第１絵柄２１が視認可能となるようにされている。
【００２１】
図１（ｂ）に示すように第１絵柄２１の周囲には所定幅の第１領域２２が設けられている。なお、第１領域２２で囲まれた領域の外側には図示を省略するが背景絵柄やその他の絵柄が描画されている。
また、図１（ａ）に示すように第２絵柄３１の周囲であって第２絵柄層１４の外周部には所定幅の第２領域３２が設けられている。
この第１領域２２と第２領域３２は同じ色彩の配列とされており、ここではいずれも同色の単色とされている。
よって、図１（ａ）に示す状態では、第１領域２２と第２領域３２が一体となって一本の円環状の領域のように見え、第２絵柄層１４の存在がわかりにくく、削り取ることが可能な領域が認識し難くなっている。
【００２２】
また、本実施形態のスクラッチカード１０は、温度により色彩が変化する温度変化領域４０を有している。この温度変化領域４０では、図１（ｂ）に示すように下層の第１絵柄２１の上に温度が高くなることで不透明な状態から透明な状態に変化する塗料によって図１（ａ）に示すように第２絵柄３１が印刷されている。
図１（ａ）に示すように室温では、上層の第２絵柄３１が視認可能であり下層の第１絵柄２１は視認できない状態となっている。そして、摩擦などによって温度を上げることで塗料が透明となり図１（ｂ）に示すように下層の第１絵柄２１が視認可能となる。再び室温に戻すことで塗料が不透明となり図１（ａ）に示すように上層の第２絵柄３１が視認可能な状態に戻る。
【００２３】
図２には図１（ａ）に示すＡ−Ａ断面を示した。なお、説明を容易にするために厚さ方向に拡大した状態で示している。
図２（ａ）に示すようにスクラッチカード１０は、紙やプラスチックなどからなるカード基材１１を備え、カード基材１１の表面には第１絵柄２１が描画された第１絵柄層１２が設けられている。また、カード基材１１の裏面には所定の絵柄が描画された裏面絵柄層１５が設けられている。
第１絵柄層１２における第１絵柄２１が描画された部分の上には、第１絵柄２１を隠蔽するとともに削り取ることが可能なスクラッチ層１３が設けられている。さらに、スクラッチ層１３の上には、スクラッチ層１３とともに削り取ることが可能な、第２絵柄３１が描画された第２絵柄層１４が設けられている。
【００２４】
図２（ｂ）には、図２（ａ）におけるスクラッチ層１３の外周端部付近の拡大図を示した。
第１絵柄層１２における第１絵柄２１の周囲に設けられた第１領域２２は、図中にＸで示す幅を有している。また、第２絵柄層１４における第２絵柄３１の周囲に設けられた第２領域３２は、図中にＹで示す幅を有している。
この第２領域３２の外周端部は第１領域２２の幅内に位置するようになっており、第１領域２２と第２領域３２とにおける同色の部分が隣接するようになっている。
これにより、第１領域２２と第２領域３２の境界がわかりにくくなり、削り取ることが可能な部分を認識することが困難となるので、削り取ることが可能な部分を探すという興趣を持たせることができ、スクラッチ遊びの楽しさを向上することができる。
また、第１絵柄層１２に対する第２絵柄層１４の印刷のずれが生じても、幅Ｘの範囲内であれば、第１領域２２と第２領域３２とにおける同色の部分が隣接するので、第１領域２２と第２領域３２の境界がわかりにくい状態となり、印刷のずれによる装飾性の低下や削り取ることが可能な領域を探るという遊びの興趣の低下を防止できる。
【００２５】
第２絵柄層１４の面積はスクラッチ層１３の面積よりも広いものとされている。また、第２絵柄層１４の外周端部は、スクラッチ層１３の外周端部よりも外側に位置し、第１領域２２においてスクラッチ層１３が存在しない位置にあるようにされている。すなわち、少なくともスクラッチ層１３の外周端部は第２絵柄層１４により完全に覆われた状態となっており、この例ではスクラッチ層１３の全体が第２絵柄層１４により覆われた状態となっている。
これにより、一般的に銀色などの目立つ色彩であるスクラッチ層１３が露出しないようになり、装飾性を高めることができる。特に、スクラッチ層１３の外周端部が露出しないようにしたことで、スクラッチ層１３の範囲がどこまで広がっているのかが把握し難くなり、削り取ることが可能な領域を探るという遊びの興趣を向上することができる。
また、第２絵柄層１４の外周端部は第１領域２２内にあるので、第１領域２２と第２領域３２の同色の部分が必ず隣接するようになり、境界をわかりにくくすることができる。よって、削り取ることが可能な部分を認識することが困難となるので、削り取ることが可能な部分を探すという興趣を持たせることができ、スクラッチ遊びの楽しさを向上することができる。
【００２６】
また、スクラッチ層１３の外周端部は、第１領域２２の幅内に位置するとともに、第２領域３２の幅内に位置するようになっている。
スクラッチ層１３の外周端部が第１領域２２の幅内に位置することで、第１絵柄２１を完全に覆うことができ、第１絵柄２１が見えてしまうことを防止できて装飾性の低下を防止できる。
また、スクラッチ層１３の外周端部が第２領域３２の幅内に位置することで、第２絵柄３１の装飾性が低下しないようにすることができる。すなわち、スクラッチ層１３は銀色などの濃色であるため、第２絵柄３１の色彩や模様によってはわずかに透けて見えてしまうおそれがある。スクラッチ層１３の外周端部が、第２絵柄３１が描画されている部分に位置すると、第２絵柄３１においてスクラッチ層１３の有無による色彩の差異が生まれてしまい装飾性が低下してしまうおそれがあるが、スクラッチ層１３の外周端部が第２領域３２の幅内に位置することで、第２絵柄３１に影響しないようにすることができる。
【００２７】
第１領域２２の幅Ｘは、印刷時にスクラッチ層１３及び第２絵柄層１４が第１絵柄層１２に対して想定される最大幅でずれた場合でも、スクラッチ層１３の外周端部が第１領域２２に収まって第１絵柄２１を覆うとともに、第２絵柄層１４の外周端部が第１領域２２に収まるように設定されている。
また、第２領域３２の幅Ｙは、印刷時にスクラッチ層１３及び第２絵柄層１４が第１絵柄層１２に対して想定される最大幅でずれた場合でもスクラッチ層１３の外周端部が第２領域３２に収まるように設定されている。
よって、印刷時にスクラッチ層１３及び第２絵柄層１４が第１絵柄層１２に対して想定される最大幅でずれた場合でも、第１領域２２、第２領域３２及びスクラッチ層１３の外周端部の関係性は図２（ｂ）に示したような関係性となるようにされている。
これにより、印刷のずれが生じたとしても第１絵柄２１が視認可能となってしまうことを防止でき、また、第１領域２２と第２領域３２とにおける同色の部分が隣接するので、第１領域２２と第２領域３２の境界がわかりにくくなり、スクラッチカードの装飾性を向上することができるとともに、削り取ることが可能な領域を探るというスクラッチ遊びの楽しさを向上することができる。
【００２８】
図３には第１絵柄層１２、スクラッチ層１３及び第２絵柄層１４の形成態様の変形例を示した。
図３（ａ）に示すように、第１領域２２を円形と五芒星の形状を組み合わせた形状とし、これらにより囲まれた領域ａ〜領域ｋの１１個の領域に第１絵柄２１を描画する。すなわち、第１絵柄層１２に複数の第１絵柄２１を描画し、各々の第１絵柄が第１領域２２で囲まれるようにする。そして、この複数の第１絵柄２１のうちの一部に重ねてスクラッチ層１３及び第２絵柄層１４を形成するようにしても良い。
【００２９】
例えば、図３（ｂ）に示すように領域ｉ及び領域ｊに重ねてスクラッチ層１３及び第２絵柄層１４を形成することや、図３（ｃ）に示すように領域ａ、領域ｂ、領域ｄ及び領域ｅに重ねてスクラッチ層１３及び第２絵柄層１４を形成することが可能である。
また、図３（ｄ）に示すように離隔した領域ｃ及び領域ｈに重ねてスクラッチ層１３及び第２絵柄層１４を形成することが可能である。このようにスクラッチ層１３及び第２絵柄層１４を形成する箇所が離隔した２以上の複数の領域であっても良い。
また、図３（ｅ）に示すように第１絵柄層１２の第１絵柄２１をなすキャラクタを組み合わせ、キャラクタの輪郭を第１領域２２として使用するようにしても良い。
【００３０】
図３（ａ）〜（ｅ）の構成とする場合には、図３（ａ）のように第１領域２２が配置された絵柄を複数のスクラッチカード１０で共通する絵柄として使用し、各スクラッチカード１０において図３（ｂ）〜（ｅ）のように削り取ることが可能な領域が異なるようにすることで、削り取ることが可能な部分を探すという興趣を持たせることができ、スクラッチ遊びの楽しさを向上することができる。
また、図３（ｂ）、（ｃ）ように隣り合う複数の領域に跨ってスクラッチ層１３及び第２絵柄層１４を形成する場合に、スクラッチ層１３及び第２絵柄層１４により隠蔽される第１領域２２に対応する絵柄を第２絵柄層１４に描画することで、一見して削り取ることが可能な領域がわからないようにすることができる。
【００３１】
また、図３（ｆ）に示すようにキャラクタの一部を第１絵柄２１としても良い。ここではキャラクタの顔を第１絵柄２１とし、顔の輪郭に沿った部分を第１領域２２としている。そして、図３（ｇ）に示すようにスクラッチ層１３及び第２絵柄層１４を形成し、削り取ることで顔の表情が変化するようにしても良い。
【００３２】
図４には第１領域２２及び第２領域３２における色彩の配列の変形例を示した。
図４（ａ）に示すように第１領域２２を複数の色彩で構成しても良い。ここでは円環状の第１領域２２の上半部と下半部で異なる色彩としている。そして、図４（ｂ）に示すように第２領域３２も同じ色彩の配列とし、図４（ｃ）に示すように同色の部分が隣接して配されるように第２絵柄層１４を形成する。
このような色彩の配列とした場合には、印刷時のずれによって色彩が切り替わる部分で第１領域２２と第２領域３２の色彩が一致しない箇所が発生するおそれがあるが、わずかな領域のみであり大部分は同色の部分が隣接して配されるため装飾性には影響しない。
【００３３】
また、図４（ｄ）に示すように第１領域２２を複数の色彩で構成するとともにグラデーションとしても良い。ここでは円環状の第１領域２２の上端から下端に向けて徐々に色彩が変化するグラデーションとしている。そして、図４（ｅ）に示すように第２領域３２も同じ色彩の配列とし、図４（ｆ）に示すように同色の部分が隣接して配されるように第２絵柄層１４を形成する。
このように色彩の配列をグラデーションとすることで、印刷時にずれが発生しても第１領域２２と第２領域３２との色彩の不一致がわかりにくくなり、装飾性の低下を防止することができる。
【００３４】
本実施形態のスクラッチカード１０は、遊戯者が互いにスクラッチカード１０を提示し合って勝敗を決めるゲームに用いるものとなっている。
図５（ａ）に示すように、透明な袋状のリフィル５１にスクラッチカード１０を収納した状態で遊戯を行うことも可能である。
また、図５（ｂ）に示すように、リフィル５１に温度変化領域５３を設け、リフィル５１に収納したスクラッチカード１０の能力を増強させるためのアイテムとして使用できるようにしても良い。
【００３５】
このリフィル５１は端部にリングファイル５４への取り付けを可能とする取付部５２が形成されており、図５（ｃ）に示すようにリフィル５１に収納したスクラッチカードをリングファイル５４で複数管理することが可能である。
また、図５（ａ）に示すようにリフィル５１の取付部５２は、リフィル５１の端部に開口しており、リングファイル５４のリングを開閉することなくリングファイル５４に着脱可能となっている。
これにより、遊戯中においてはリフィル５１をリングファイル５４に取り付けた状態で相手に提示するスクラッチカード１０を選択し、リフィル５１を引っ張ることで取り外してリフィル５１に収納された状態のままスクラッチカード１０を提示することが可能である。
また、リングファイル５４の表面などに図５（ｂ）に示したような温度変化領域５３を設け、スクラッチカード１０の能力を増強させるためのアイテムとして使用できるようにしても良い。
【００３６】
次に、以上のようなスクラッチカードの製造方法について説明する。
まず、図６（ａ）に示すような紙やプラスチックからなるカード基材１１の表面に、図６（ｂ）に示すように第１絵柄２１及び第１領域２２が描画された第１絵柄層１２を形成する第１工程を行う。第１絵柄層１２の形成は、カード基材１１の表面に直接印刷することにより行っても良いし、第１絵柄層１２をなすフィルム等をカード基材１１の表面に張り付けることにより行っても良い。なお、カード基材１１の裏面に裏面絵柄層１５を形成する工程も同様の工程で行う。
【００３７】
次に、図６（ｃ）に示すようにスクラッチ層１３を第１絵柄層１２の上に形成する第２工程を行う。この第２工程では、スクラッチ層１３が第１絵柄２１を隠蔽し、外周端部が第１領域２２に位置するように形成する。
第１領域２２は一定の幅を有するように設けられているので、スクラッチ層１３を形成する際に多少のずれが生じても外周端部を第１領域２２の幅内に収めることが可能である。
よって、印刷の際における位置合わせを必要以上に精密に行う必要はなく、スクラッチカード１０の製造工程を簡単なものとすることができて、製造のコストを削減することができる。
【００３８】
そして、図６（ｄ）に示すように第２絵柄３１及び第２領域３２が描画された第２絵柄層１４をスクラッチ層１３の上に形成する第３工程を行う。この第３工程では、スクラッチ層１３の外周端部が第２絵柄層１４に設けた第２領域３２の幅内に位置するように形成し、第２絵柄層１４の外周端部が第１領域２２においてスクラッチ層が存在しない位置に配されるようにする。
第２領域３２は一定の幅を有するように設けられているので、第２絵柄層１４を形成する際に多少のずれが生じてもスクラッチ層１３の外周端部を第２領域３２の幅内に収めることが可能である。
また、第１領域２２は一定の幅を有するように設けられているので、第２絵柄層１４を形成する際に多少のずれが生じても第２絵柄層１４の外周端部を第１領域２２の幅内に収めることが可能である。
よって、印刷の際における位置合わせを必要以上に精密に行う必要はなく、スクラッチカード１０の製造工程を簡単なものとすることができて、製造のコストを削減することができる。
【００３９】
また、第１絵柄層１２の第１領域２２と第２絵柄層１４の第２領域３２は、同じ色彩の配列となるようにされており、第２絵柄層１４を形成する際には、第１領域２２と、第２領域３２と、における同色の部分が隣接して配されるようにする。
図１に示した第１領域２２と第２領域３２を有するスクラッチカード１０では、第１領域２２と第２領域３２をいずれも同色の単色としており、第１絵柄層１２に対する第２絵柄層１４の角度がずれたとしても第１領域２２と第２領域３２における同色の部分が隣接して配される。
【００４０】
図４に示した第１領域２２と第２領域３２を有するスクラッチカード１０では、第１絵柄層１２に対する第２絵柄層１４の角度を合わせる必要があるが、上述したように多少のずれが生じても装飾性に大きな影響はないため、印刷の際における位置合わせを必要以上に精密に行う必要はなく、スクラッチカード１０の製造工程を簡単なものとすることができて、製造のコストを削減することができる。
【００４１】
以上のようなスクラッチカード１０の製造によれば、第１領域２２と第２領域３２が同じ色彩の配列であって同色の部分が隣接して配されるようにするので、第１絵柄層１２に対して第２絵柄層１４がわずかにずれたとしても、第１領域２２と第２領域３２とで構成される領域の幅がわずかに変化する程度となるので、印刷のずれが装飾性に大きな影響を与えることを防止できる。
【００４２】
なお、第１領域２２の幅は、印刷工程において発生する可能性がある第１絵柄層１２に対するスクラッチ層１３や第２絵柄層１４のずれ幅よりも広い幅とすることが好ましい。
また、第２領域３２の幅は、印刷工程において発生する可能性があるスクラッチ層１３に対する第２絵柄層１４のずれ幅よりも広い幅とすることが好ましい。
【００４３】
また、上述した工程の他に、スクラッチ層１３の剥離を容易とするとともに第１絵柄層１２を保護するための透明な保護層を第１絵柄層１２とスクラッチ層１３の間に形成する工程を含んでも良い。
この透明な保護層を形成した際には、第２絵柄層１４の外周端部が保護層の外周端部と一致するか、第２絵柄層１４の外周端部の方が保護層の外周端部よりも外側に位置して保護層を完全に覆うようにしても良い。透明な保護層は光を反射しやすいため、保護層が露出していると第２絵柄層１４との反射率の違いから削り取ることが可能な領域がわかってしまうおそれがあるが、第２絵柄層１４により完全に覆うようにすることで削り取ることが可能な領域がわかりにくくすることができる。
【００４４】
また、スクラッチ層１３と第２絵柄層１４の間に、スクラッチ層１３が透けることを防止し、第２絵柄の発色や装飾性を向上するための隠蔽層を形成する工程を含んでも良い。隠蔽層は第２絵柄層１４を形成する範囲と同じ範囲に形成するようにする。
隠蔽層の色彩はどのようなものでも良いが、例えば不透明な白色とすることで、スクラッチ層１３を確実に隠蔽できるとともに第２絵柄層１４の発色に影響しないようにすることができる。また、隠蔽層の外周部分を第１領域２２や第２領域３２と同じ色彩の配列とし、第１領域２２や第２領域３２に対して同色の部分が隣接して配されるようにすることで、隠蔽層と第２絵柄層１４との印刷のずれが生じて隠蔽層が露出した場合に目立たないようにすることができる。
【００４５】
また、温度変化領域４０を設けるために、温度により色彩が変化する塗料による印刷を行う工程を含んでも良い。
温度変化領域４０は、複数種類のスクラッチカード１０のうちの全てのスクラッチカード１０に設けるようにしても良いし、一部のスクラッチカード１０にのみ設けるようにしても良い。また、温度変化領域４０を設ける場所や記載する情報は任意に設定可能である。
【００４６】
また、以上の実施形態では、スクラッチカード１０の表面の一部にスクラッチ層１３を形成するようにしたが、周囲に第１領域２２を有する第１絵柄２１をスクラッチカード１０の全面に描画し、当該第１絵柄２１を隠蔽するようにスクラッチ層１３を形成するようにしても良い。また、スクラッチカード１０の両面にスクラッチ層１３を形成するようにしても良い。
また、第１領域２２は所定の幅を有する線状の領域としたが、これに限られるものではなく、第１絵柄２１の周囲に第１領域２２が存在していれば良く、第１絵柄２１の背景全体が第１領域２２をなすようにしても良い。第２領域３２についても所定の幅を有する線状の領域としたが、これに限られるものではなく、第２絵柄３１の周囲に第２領域３２が存在していれば良く、第２絵柄３１の背景全体が第２領域３２をなすようにしても良い。
【００４７】
また、以上の実施形態では、第２絵柄層１４がスクラッチ層１３を完全に隠蔽するようにしたが、第２絵柄層１４が少なくともスクラッチ層１３の外周端部を隠蔽していれば、削り取ることが可能な領域の外縁が把握しにくくなり、削り取ることが可能な領域を探るというスクラッチ遊びの楽しさを向上することができる。
例えば、第２絵柄層１４においてスクラッチ層１３の外周端部を覆う部分を除く一部にスクラッチ層１３を覆わない開口部を設け、開口部からスクラッチ層１３が露出するようにしても良く、第２絵柄層１４を、スクラッチ層１３の外周端部のみを覆うような円環状に形成し、円環状の第２絵柄層１４の中央部分からスクラッチ層１３が露出するようにしても良い。
この場合でも第２絵柄層１４の外周部分では第１領域２２と、第２領域３２と、における同色の部分が隣接して配されるので境界をわかりにくくすることができ、開口部の存在からスクラッチ層１３が存在することは容易に把握できるが、どの範囲まで削り取ることができるのかがわかりにくくなり、スクラッチ遊びの楽しさを向上することができる。
なお、第２絵柄層１４に設ける開口部を透明な塗料で印刷することで構成し、開口部からスクラッチ層１３が透けて見えるようにしても良い。
【符号の説明】
【００４８】
１０  スクラッチカード
１１  カード基材
１２  第１絵柄層
１３  スクラッチ層
１４  第２絵柄層
２１  第１絵柄
２２  第１領域
３１  第２絵柄
３２  第２領域 
【要約】      （修正有）【課題】カードの装飾性及びスクラッチ遊びの楽しさを向上することが可能なスクラッチカードを提供する。【解決手段】スクラッチカード１０は、カード基材と、カード基材の上に設けられ、少なくとも第１絵柄２１が描画された第１絵柄層と、第１絵柄２１を隠蔽するように第１絵柄層の上に設けられたスクラッチ層と、少なくともスクラッチ層の外周端部を隠蔽するようにスクラッチ層の上に設けられ、第２絵柄３１が描画された第２絵柄層と、を備える。第１絵柄層は、第１絵柄の周囲に第１領域２２を備え、第２絵柄層は、周縁に第１領域と同じ色彩の配列を有する第２領域３２を備える。第１領域と、第２領域と、における同色の部分が隣接して配されるようにする。【選択図】図１【図１】
0006979111.tif 000002
【図２】
0006979111.tif 000003
【図３】
0006979111.tif 000004
【図４】
0006979111.tif 000005
【図５】
0006979111.tif 000006
【図６】
0006979111.tif 000007